(57)【要約】【課題】野地板と板金屋根材の間に設置することにより、住宅の防音性をより高め、且つ、通気効果をも発揮し得る防音通気材及びそれを用いた屋根部防音通気方法を提供することを課題とする。【解決手段】ポリプロピレン等のプラスチックプレート２に多数の中空円錐体３を成形加工した通気プレート１を設け、通気プレート１の中空円錐体３を設けていない平坦部に無数の吸音用小孔８を穿設して成る。好ましくは、通気プレート１の中空円錐体３群の底面開口側全面に遮熱材６を被装する。【選択図】図２
2006188930.tif 000002
【特許請求の範囲】
【請求項１】
ポリプロピレン等のプラスチックプレートに多数の中空円錐体を成形加工した通気プレートから成ることを特徴とする防音通気材。
【請求項２】
前記通気プレートの前記中空円錐体を形成していない平坦部に無数の吸音用小孔を設けた請求項１に記載の防音通気材。
【請求項３】
前記通気プレートの前記中空円錐体群の底面開口側全面に遮熱材を被装した請求項１又は２に記載の防音通気材。
【請求項４】
前記通気プレートを、表裏同じ向き又は逆向きにして複数積層した請求項１乃至３のいずれかに記載の防音通気材。
【請求項５】
前記通気プレート間に遮熱材を挟み入れた請求項４に記載の防音通気材。
【請求項６】
多数本の硬質プラスチック製モノフィラメントをランダムなループ状に堆積して平板状に形成されるプレートであって、その厚み部は、複数列設される筒状空洞部と、その表裏を覆うループ圧潰層とから成る通気プレートで構成されていることを特徴とする防音通気材。
【請求項７】
請求項１乃至６のいずれかに記載の防音通気材を野地板と板金屋根材の間に設置することにより、防音とともに、軒先から棟方向への通気、並びに、棟から軒先方向への排水を可能にすることを特徴とする屋根部防音通気方法。
【発明の詳細な説明】
【技術分野】
【０００１】
本発明は、防音通気材、より詳細には、建築物の屋根面に設置される、防音性能と通気性能とを備えた防音通気材及びそれを用いた屋根部防音通気方法に関するものである。
【背景技術】
【０００２】
一般家屋の屋根には、瓦屋根や板金屋根等があるが、板金屋根の場合は、金属板を防水材を介して直接野地板に打ち付けるため、降雨時に大きな雨音が発生し、屋内に伝達される。その雨音の伝達を防止するために、屋根材裏面に断熱材を貼ることもあるが、基本的には防音性に特化した工夫は何ら講じられていない。
【０００３】
また、板金屋根が太陽に熱せられて温度が高くなるに伴い、防水材及び野地板も高温となって耐久性が低下する。加えて、板金屋根が高温になることで、小屋裏温熱環境が悪化し、更に、野地板腐食によってその耐久性が低下するという問題もある。
【特許文献１】特開２００１−６５０７４号公報
【特許文献２】特開平７−９０９４４号公報
【発明の開示】
【発明が解決しようとする課題】
【０００４】
上述したように、上記断熱材による防音対策は、あくまで断熱を第一義とするものであって、板金屋根に降り注ぐ雨音、風音、枝葉の落下音等（以下単に「雨音」とする）に対する十分な防音策とはなり得ておらず、快適な静音環境のための防音対策が嘱望されているところである。
【０００５】
本発明はかかる要望に応えるためになされたもので、野地板と板金屋根材の間に設置することにより、住宅の防音性を高め、且つ、通気効果及び排水効果をも発揮し、延いては、小屋裏の温熱環境を改善すると共に住宅の耐久性を向上させ得る防音通気材及びそれを用いた屋根部防音通気方法を提供することを課題とする。
【課題を解決するための手段】
【０００６】
上記課題を解決するために、請求項１に係る発明は、ポリプロピレン等のプラスチックプレートに多数の中空円錐体を成形加工した通気プレートから成る防音通気材を提唱し、請求項２に係る発明は、前記通気プレートの前記中空円錐体を形成していない平坦部に無数の吸音用小孔を設けて成る防音通気材を提唱する。
【０００７】
前記通気プレートの前記中空円錐体群の底面開口側全面に遮熱材を被装することがある。また、前記通気プレートを、表裏同じ向き又は逆向きにして複数積層することもあり、その場合、前記通気プレート間に遮熱材を挟み入れることがある。
【０００８】
上記課題を解決するために、請求項６に係る発明は、多数本の硬質プラスチック製モノフィラメントをランダムなループ状に堆積して平板状に形成されるプレートであって、その厚み部は、複数列設される筒状空洞部と、その表裏を覆うループ圧潰層とから成る通気プレートで構成されていることを特徴とする防音通気材を提唱する。
【０００９】
上記課題を解決するために、請求項７に係る発明は、請求項１乃至６のいずれかに記載の防音通気材を野地坂と板金屋根材の間に設置することにより、防音とともに、軒先から棟方向への通気、並びに、棟から軒先方向への排水を可能にすることを特徴とする屋根部防音通気方法を提唱する。
【発明の効果】
【００１０】
本発明に係る防音通気材は上記構成であるため、野地板と板金屋根材の間に設置することにより、中空円錐体、無数の吸音用小孔、あるいは、ループ状モノフィラメントの作用で屋内への雨音の伝達が防止され、また、通気プレートに十分な通気スペースがあるため、設置箇所において通気及び排水がなされ、室内からの湿気の放出も十分に行われ、以て小屋裏の温熱環境が改善されて住宅の耐久性が向上する効果がある。
【発明を実施するための最良の形態】
【００１１】
本発明を実施するための最良の形態について、添付図面に依拠して説明する。図１に示す本発明に係る防音通気材は、ポリプロピレン等のプラスチックプレート２に、多数の中空円錐体３を成形加工した通気プレート１から成り、好ましくは、プレスチックプレート２の中空円錐体３を設けていない平坦部４に無数の、例えば直径１ｍｍ程度の吸音用小孔５を設けて成る。吸音用小孔５は貫通するものであってもよいし、深めの穴であってもよい。なお、図では、吸音用小孔５は平坦部４の一部にしか示されていないが、実際にはその全域に渡って形成される。
【００１２】
通気プレート１は、例えば厚さ０．１〜０．３ｍｍ程のポリプレピレン等のプラスチックプレート２に、エンボス加工等によって、先端部を平坦にした高さ５〜１０ｍｍ程の中空円錐体３を比較的密に設けたものである。但し、その密度は、各中空円錐体３の下端裾部同士が接触することなく、ある程度の平坦部４が残る程度とする。
【００１３】
図１に示す例では、各列の中空円錐体３を左右に少し宛ずれるように配置しているが、これを縦横に碁盤目状に並ぶようにしてもよい。また、中空円錐体３は、必ずしもこのような規則的な配列である必要はなく、不規則な配列であってもよい。
【００１４】
通気層として厚みを確保する必要がある場合には、通気プレート１を複数枚積層したものを用いることができる。図３に示す例は、通気プレート１を複数枚（図３では３枚）同じ向きに積層したものである。この場合、通気プレート１、１間に、熱線を反射するアルミシート等の遮熱材６を挟み入れることもある。
【００１５】
次に、上記防音通気材の施工例について説明する。本防音通気材は、透湿性の防水紙を張った野地板１１と板金屋根材１２との間に、プラスチックプレート２を下面にして配置する（図４、図５）。野地板１１への固定は、適宜箇所を釘止めする等の方法によって行なう。図５は棟に施工する例を示しており、防音通気材は、棟開口１３を挟んで両側に配置されている。なお、１４は、棟開口１３上に設置される棟換気材を示している。
【００１６】
かくして、板金屋根材１２において発生する雨音は、直接ではなく、通気プレート１を介して野地板１１に伝達されることになるが、雨音は中空円錐体３の中空層や吸音用小孔５で吸音されるため、かなり減衰して屋内側に伝わる。また、各中空円錐体３間のスペースが通気空間７となって、板金屋根材１２と野地板１１との間の掃気が可能となる。
【００１７】
なお、本発明に係る防音通気材は、上記のような板金屋根だけでなく、瓦屋根等の場合にも使用することができることは言うまでもない。但し、瓦屋根の場合は、瓦桟による通気空間があり、このことは輻射熱が発生するスペースが板金屋根の場合よりも多いことを意味する。従って、その場合は、通気プレート１の中空円錐体３群の底面開口部に遮熱材６を被装したもの（図２、図３）を用いることが好ましい。
【００１８】
図６乃至図８は、本発明に係る防音通気材の他の施工例を示すものである。図６に示すものは、小屋裏等の屋内の湿気の排出を意図したもので、野地板上に透湿・防水シート８を張着し、その上に遮熱材６を介して通気プレート１を配置する。この場合の遮熱材６には、適宜透湿孔が形成される。
【００１９】
図７に示す施工例は、上記同様に野地板上に透湿・防水シート８と遮熱材６とを配置し、その上に通気プレート１を、その中空円錐体３の突部側を下向きにして重ねたものである。
【００２０】
また、図８に示す施工例は、野地板上に透湿・防水シート８を張着し、その上に、２枚の通気プレート１、１を、中空円錐体３の突部同士を向かい合わせて重ね、且つ、通気プレート１、１間に遮熱材６を挟み入れたものである。
【００２１】
図９は、他の構成の通気プレート１ａによって構成された防音通気材を示すもので、この通気プレート１ａは、多数本の硬質プラスチック製モノフィラメント１５をランダムなループ状に堆積して平板状に形成されるプレートであって、その厚み部は、複数列設される筒状空洞部１６と、その表裏を覆うループ圧潰層１７とから成るものである。この通気プレート１ａは、特許第３４３５１４５号の集排水処理材を転用したものである。
【００２２】
この通気プレート１ａを用いた防水通気材の施工も上記防音通気材に準じて行われるが、この場合も板金屋根材１２において発生する雨音は、直接ではなく、通気プレート１を介して野地板１１に伝達されることになり、雨音はループ圧潰層１７及び筒状空洞部１６で吸音されるため、かなり減衰して屋内側に伝わる。また筒状空洞部１６のスペースが通気空間となって、板金屋根材１２と野地板１１との間の掃気、並びに、排水が可能となる。
【００２３】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２４】
【図１】本発明に係る防音通気材の一構成例を示す図である。
【図２】本発明に係る防音通気材の他の構成例を示す図である。
【図３】本発明に係る防音通気材の更に他の構成例を示す図である。
【図４】本発明に係る防音通気材の施工例を示す図である。
【図５】本発明に係る防音通気材の施工例を示す図である。
【図６】本発明に係る防音通気材の他の施工例を示す図である。
【図７】本発明に係る防音通気材の更に他の施工例を示す図である。
【図８】本発明に係る防音通気材の更に他の施工例を示す図である。
【図９】本発明に係る防音通気材の更に他の構成例を示す図である。
【符号の説明】
【００２５】
１    通気プレート
１ａ  通気プレート
２    プラスチックプレート
３    中空円錐体
４    平坦部
５    吸音用小孔
６    遮熱材
７    通気空間
８    透湿・防水シート
１１    野地板
１２    板金屋根材
１３    棟開口
１４    棟換気材
１５    モノフィラメント
１６    筒状空洞部
１７    ループ圧潰層
【図１】
2006188930.tif 000003
【図２】
2006188930.tif 000004
【図３】
2006188930.tif 000005
【図４】
2006188930.tif 000006
【図５】
2006188930.tif 000007
【図６】
2006188930.tif 000008
【図７】
2006188930.tif 000009
【図８】
2006188930.tif 000010
【図９】
2006188930.tif 000011